(57)【要約】【課題】軸筒の前方および後方へキャップを装着する筆記具であり、且つ軸筒の前方へキャップを装着した状態においてキャップと軸筒との隣接箇所が合致する構造であっても、軸筒の外形の大きさを一定形状にすることができるキャップ式筆記具を提供することを目的とする。【解決手段】雄螺子１６ａの先端が筒状体７の後端開口部７ａから露出した状態まで螺子体７を筒状体７に没入させる構造の可動螺子機構体１１を、軸筒本体２の後端開口部２ａ内に装着し、キャップ３の雌螺子３ａを筒状体６の後端開口部６ａから突出した螺子体７の雄螺子７ａの先端に当接させて回転することにより、螺子体３ａがコイルスプリング１２を圧縮しながら後方へ移動すると共に、キャップ３の雌螺子３ａと螺子体７の雄螺子７ａとを螺合して、キャップを軸筒の後方部へ装着する。【選択図】図３
2010052326.tif 000002
【特許請求の範囲】
【請求項１】
筆記先端部を有した軸筒の前方へ螺合によりキャップを装着し、軸筒の前方部へキャップを装着した状態でキャップと軸筒との隣接箇所が互いに合致するキャプ式筆記具であり、前方が開口し後方にキャップの雌螺子と螺合する雄螺子を有し側面に摺動突起を有した円筒形状の螺子体と、螺子体の外周に配したコイルスプリングとを、両端が開口し側面に摺動体の摺動突起を摺動させる摺動孔を有した筒状体の内部に配設し、コイルスプリングの前端を螺子体に当接させると共に、コイルスプリングの後端を筒状体に当接させることにより螺子体を前方へ弾発して、雄螺子の先端が筒状体の後端開口部から露出した状態まで螺子体を筒状体に没入させる構造の可動螺子機構体を、軸筒本体の後端開口部内に装着し、キャップの雌螺子を筒状体の後端開口部から突出した螺子体の雄螺子の先端に当接させて回転することにより、螺子体がコイルスプリングを圧縮しながら後方へ移動すると共にキャップの雌螺子と螺子体の雄螺子とを螺合して、キャップを軸筒の後方部へ装着することを特徴としたキャップ式筆記具。
【請求項２】
可動螺子機構体が、螺子体の外側部に係止部を設け筒状体の内側部に係止受部を設け係止部が係止受部に係止することにより、コイルスプリングに弾発された螺子体の前方への移動を規制し、螺子体の摺動突起が筒状体の摺動孔の後端に当接することにより、螺子体の後方への移動を規制することを特徴とした請求項１に記載のキャップ式筆記具。
【発明の詳細な説明】
【技術分野】
【０００１】
本発明はキャップ式筆記具に関し、さらに詳細には、筆記先端部を有した軸筒の前方にキャップを螺合で装着するキャプ式筆記具に関する。
【背景技術】
【０００２】
従来よりキャップ式の筆記具では、例えば万年筆のように、軸筒前方のペン先をキャップで保護したり、あるいは筆記時にキャップを取り外して軸筒の後方へ装着することが行われる。キャップを軸筒の後方へ装着する目的としては、外したキャップを一時的に保管する場合や、軸筒の長さが短い筆記具においては、キャップを筆記時の軸筒の延長とする場合もある。
【０００３】
尚、一般的に筆記具は、軸筒やキャップの外形が全体的に円筒形状のものが多くあるいは多角形状になっており、キャップを軸筒の前方へ装着した状態においてキャップと軸筒との隣接箇所を互いに合致させる構造では、軸筒の後方にキャップが嵌まるように、軸筒の後方部を先窄み形状としている。
例えば実開昭５９−７９３８３号公報記載の筆記具は、軸筒およびキャップの外形が八角形になっており、キャップを軸筒の前方へ装着した状態においては軸筒とキャップの隣接箇所が合致するものの、キャップを軸筒の後方へ装着させるために軸筒の後方部を先窄みとしてあることから、軸筒の外形が一定の大きさの八角形ではなく、またキャップを軸筒の後方へ装着した状態では、キャップと軸筒とに段差が生じてしまうものであった。
【特許文献１】「実開昭５９−７９３８３号公報」
【発明の開示】
【発明が解決しようとする課題】
【０００４】
本発明はこうした問題を鑑みて、軸筒の前方および後方へキャップを装着する筆記具であり、且つ軸筒の前方へキャップを装着した状態においてキャップと軸筒との隣接箇所が合致する構造であっても、軸筒の外形の大きさを一定にすることができるキャップ式筆記具を提供することを目的とする。
【課題を解決するための手段】
【０００５】
本発明は、
「１．筆記先端部を有した軸筒の前方へ螺合によりキャップを装着し、軸筒の前方部へキャップを装着した状態でキャップと軸筒との隣接箇所が互いに合致するキャプ式筆記具であり、前方が開口し後方にキャップの雌螺子と螺合する雄螺子を有し側面に摺動突起を有した円筒形状の螺子体と、螺子体の外周に配したコイルスプリングとを、両端が開口し側面に摺動体の摺動突起を摺動させる摺動孔を有した筒状体の内部に配設し、コイルスプリングの前端を螺子体に当接させると共に、コイルスプリングの後端を筒状体に当接させることにより螺子体を前方へ弾発して、雄螺子の先端が筒状体の後端開口部から露出した状態まで螺子体を筒状体に没入させる構造の可動螺子機構体を、軸筒本体の後端開口部内に装着し、キャップの雌螺子を筒状体の後端開口部から突出した螺子体の雄螺子の先端に当接させて回転することにより、螺子体がコイルスプリングを圧縮しながら後方へ移動すると共にキャップの雌螺子と螺子体の雄螺子とを螺合して、キャップを軸筒の後方部へ装着することを特徴としたキャップ式筆記具。
２．可動螺子機構体が、螺子体の外側部に係止部を設け筒状体の内側部に係止受部を設け係止部が係止受部に係止することにより、コイルスプリングに弾発された螺子体の前方への移動を規制し、螺子体の摺動突起が筒状体の摺動孔の後端に当接することにより、螺子体の後方への移動を規制することを特徴とした請求項１に記載のキャップ式筆記具。」である。
【０００６】
本発明における軸筒とキャップとの合致とは、軸筒とキャップの外形形状の一致および外形寸法の一致のことを示す。
また、本発明の筆記具の軸筒やキャップにおいて、軸筒およびキャップの外形を同一の多角形とする場合には、軸筒の前方および後方へキャップを螺合した状態で、キャップの角部と軸筒の角部とが合致するように、螺子部の螺子山を形成し、多角形の角部と角部とが合致した状態で螺合を完了できるようにすることが肝要である。
【発明の効果】
【０００７】
本発明は、軸筒の後方開口部内に固着した可動螺子機構体が有する雄螺子に、キャップに設けた雌螺子を螺合させて、キャップを軸筒の後方部へ装着する構造なので、軸筒後方部の外形をキャップの内径より小さくする必要がなく、キャップを軸筒の前方および後方のいずれに装着する場合においても、軸筒とキャップとの隣接箇所の形状を合致させることができると共に、キャップを装着するために軸筒の後方を先窄みとする必要がなく、軸筒の外形を一定の大きさにすることが可能なものとなった。また軸筒の後方で突出する雄螺子は、キャップを装着しない状態においては、螺子部の先端だけが筒状体の後端開口部から突出する状態にあることから、螺子は目立たない。またキャップが軸筒の後方に螺着することから、キャップを強固に軸筒へ装着することができ、キャップを筆記時の軸筒の延長として使用することができる。また可動螺子機構体を構成する円筒形状の螺子体の前方を開口させることから、螺子体の前端開口およびその内部の空間部が、軸筒内に収容したボールペンレフィルやインクカートリッジの収容部の一部となり、小型で軸筒の長さが短い筆記具においても、容量が大きく長さの長いレフィルやカートリッジを収容することができるものとなる。
【発明を実施するための最良の形態】
【０００８】
次に図面を参照しながら本発明の実施例の説明を行う。図中の同じ部材、同じ部品については、同じ符号としてある。本発明は以下の実施例に限定されるものではない。
内、本実施例ではキャップ式筆記具として万年筆について説明を行い、軸筒のペン先方向を前方と表現し、その反対側を後方と表現する。
【０００９】
実施例１
図１は第一の実施例の万年筆の全体斜視図である。図２はキャップを軸筒から外した状態の断面図である。図３は図２の要部拡大図である。図４は図３のＡ−Ａ線断面図で、図５は図３のＢ−Ｂ線断面図である。図６は本実施例の一部分解斜視図である。
図１に示す万年筆１は、軸筒２の前方にキャップ３を装着した状態である。本実施例の万年筆１は、軸筒２およびキャップ３の外形が四角形状で且つ４辺の長さを同寸法に形成してある。また、キャップ３の前端部には、クリップ４の基部４ａを配し、頭冠５によって固定してある。また軸筒２の後方には、詳細は後述するが、軸筒２の後端開口部２ａ内に、前後がが開口した筒状体６を装着し、筒状体６の後端開口部６ａから、筒状体６の内部に配した螺子体７に形成した雄螺子７ａの先端のみを突出させている（図３参照）。
【００１０】
また図２に示すように万年筆１は、両端が開口した軸筒２の前端開口部２ｂに、先端にペン先８を固着した首部９を挿着してあり、軸筒２の内部に、インクカートリッジ１０を収容してある。また、首部９の外周には雄螺子９ａを形成して、キャップ３の後端内面に形成した雌螺子３ａとの螺合による装着を可能とし、螺合を完了した状態で軸筒２とキャップ３の角部が合致するようにしてある（図１参照）。次に、キャップ３を詳述すると、クリップ４の基部４ａには貫通孔４ｂを設けてあり、頭冠５に設けた雄螺子部５ａを、キャップ３の前端部に設けた雌螺子部３ｂに螺合させると共に、クリップ４の基部４ａに設けた回転防止用の係止孔４ｃに対し、キャップ３の前端面に形成した係止突起３ｃを係止させ固定してある。
【００１１】
次に、図３〜図６を用いて、本実施例の要部となる軸筒の後方部分について詳述を行う。図３に示す通り、軸筒２の後端開口部２ａに装着した可動螺子機構体１１は、前方が開口した円筒状の螺子部材７１の前方部に、円環部７２ａの前端の上下に突出する摺動突起７２ｂを形成した円環部材７２を嵌着して一体と成した螺子体７と、外形を軸筒２の内部形状に合わせて四角形状に形成し、内面を円形状に形成した筒状体６と、螺子体７の外周に配したコイルスプリング１２とからなる。また螺子体７は、雄螺子７ａの前方に段を設けて係止部７ｂを形成してあり、筒状体６の内側に突出するように設けた係止受部６ｂの後端に係止するようにしてある。
【００１２】
尚、コイルスプリング１２は、筒状体６の後端開口部６ａ側より挿通した前記螺子部材７１と筒状体６の隙間Ｓに配設してあり、コイルスプリング１２を配設した後に、円環部材７２の円環部７２ａを螺子部材７１の前方部に嵌着して、コイルスプリング１２の前端を摺動突起７２ｂに当接させると共にコイルスプリング１２の後端を筒状体６の係止受部６ｂの前端に当接させ、螺子体７の雄螺子７ａの先端だけを筒状体６の後端開口部６ａから突出させた状態で没入するように、コイルスプリング１２で螺子体７を前方方向に弾発している。本実施例では、コイルスプリング１２に弾発された螺子体７の前方への移動を、螺子体７の係止部７ｂが筒状体６の係止受部６ｂに当接することで規制してある。また筒状体６の前方の側壁６ｃには、螺子体７の摺動突起７２ｂが前後に摺動可能となる摺動孔６ｄを形成してあり、螺子体７の摺動突起７２ｂが筒状体６の摺動孔６ｄの後端に当接することで、螺子体７の後方への移動を規制してある。
【００１３】
また本実施例では、図３に示したように、円環部材７２ならびに螺子部材７１の内径を、軸筒２内に収容したインクカートリッジ１０の外径より大きく形成してあり、螺子部材７１と円環部材７２から成る螺子体７の空間部７ｃにインクカートリッジ１０の後端部が挿通できるようにしてある。本実施例では筒状体６の後端に鍔部６ｅを設け、可動螺子機構体１１を軸筒２の後端開口部２ａに装着する際に、鍔部６ｅが軸筒２の後端に当接するようにしてある。
【００１４】
次に、図７，図８を用いて、実施例１の万年筆において軸筒２の後方へキャップ３を装着する際の説明を行う。図７はキャップを軸筒の後方へ装着した状態の要部拡大断面図である。図８はキャップを軸筒の後方へ装着した状態の斜視図である。図に示すように、可動螺子機構体１１は、キャップ３の雌螺子３ａを筒状体６の後端開口部６ａから先端のみを突出させた螺子体７の雄螺子７ａに当接するようキャップ３を回転させることにより、雌螺子３ａと雄螺子７ａとが噛み合って、螺子体７の摺動突起７２ｂが、筒状体６の摺動孔６ｄに沿って摺動しつつ螺子体７の回転を規制しながら、コイルスプリング１２を圧縮して摺動孔６ｄの後端に当接するまで後方へ移動する。本実施例では、螺子体７の摺動突起７２ｂが摺動孔６ｄの後端に当接することで、螺子体７の雄螺子７ａとキャップ３の雌螺子３ａとの螺合を完了させ、四角形状である軸筒２の角部と、同じく四角形状であるキャップ３の角部とが合致して装着を完了し、その状態で図２に示したクリップ４とペン先８の上面とが一致する構造としてある。尚、図７の状態のキャップ３を外せば、コイルスプリング１２の弾発力によって螺子体７は、図２の状態まで前進して戻る。
【００１５】
実施例２
図９は第二の実施例の万年筆の全体斜視図である。図１０はキャップを軸筒から外した状態の断面図である。図１１は図１０の要部拡大図である。図１２は図１１のＣ−Ｃ線断面図で、図１３は図１１のＤ−Ｄ線断面図である。図１４は本実施例の万年筆の一部分解斜視図である。尚、前述の実施例１と同様の構造である内容に関しては説明を省略する。
図９に示す万年筆１３は、軸筒１４の前方にキャップ３を装着した状態である。本実施例の万年筆１３のキャップ３は、前述の実施例１のキャップ３と同構造であるため説明を省略する。万年筆１３は、軸筒１４およびキャップ３の外形が四角形状で且つ４辺の長さを同寸法に形成してある。また軸筒１４の後方には、詳細は後述するが、軸筒１４の後端開口部１４ａ内に、前端が開口した筒状体１５を装着し、筒状体１５の後端開口部１５ａから筒状体１５の内部に配した螺子体１６に形成した雄螺子１６ａの先端を突出させている（図１１参照）。
【００１６】
次に、図１１〜図１４を用いて、本実施例の要部となる軸筒の後方部分について詳述を行う。図１１に示すように、軸筒１４の後端開口部１４ａに装着した可動螺子機構体１７は、前方が開口し前端の上下に突出する摺動突起１６ｂを形成した円筒状の螺子体１６と、外形を軸筒１４の内部形状に合わせて四角形状に形成し、内面を円形状に形成した筒状体１５と、螺子体１６の外周に配したコイルスプリング１２と、筒状体１５の前端に、鍔部１８ａが当接するよう円環部１８ｂを筒状体１５の前方に嵌着した円環部材１８とからなる。尚、コイルスプリング１２は、筒状体１５の前端開口部側より挿通した螺子体１６に形成した段部１６ｃと、筒状体１５の後端開口部１５ａ側に形成した内向きの鍔部１５ｂとの間で、螺子体１６と筒状体１５の隙間Ｔに配設してあり、筒状体１５にコイルスプリング１２と螺子体１６を収容した後に、円環部材１８を筒状体１５に嵌着して、コイルスプリング１２の弾発力で螺子体１６を前方へ弾発している。本実施例では、コイルスプリング１２に弾発された螺子体１６の前方への移動を、螺子体１６の前端が筒状体１５の前方に嵌着した円環部材１８に当接することで規制してある。また筒状体１５の前方の側壁１５ｃには、螺子体１６の摺動突起１６ｂが摺動可能に遊嵌する摺動孔１５ｄを形成してあり、螺子体１６の摺動突起１６ｂが筒状体１５の摺動孔１５ｄの後端に当接することで、螺子体１６の後方への移動を規制してある。
【００１７】
また本実施例では、図１１に示したように、円環部材１８ならびに螺子体１６の内径を、軸筒１４内に収容したインクカートリッジ１０の外径より大きく形成してあり、螺子体１６の空間部１６ｄにインクカートリッジ１０の後端部を挿通できるようにしてある。本実施例では筒状体１５の後端に鍔部１５ｅを設け、可動螺子機構体１７を軸筒１４の後端開口部１４ａに装着する際に、鍔部１５ｅが軸筒１４の後端に当接するようにしてある。
【００１８】
次に、図１５，図１６を用いて、実施例２の万年筆において軸筒１４の後方へキャップ３を装着する際の説明を行う。図１５はキャップを軸筒の後方へ装着した状態の要部拡大断面図である。図１６はキャップを軸筒の後方へ装着した状態の斜視図である。図に示すように、可動螺子機構体１７は、キャップ３の雌螺子３ａを筒状体１５の後端開口部１５ａから先端のみを突出させた螺子体１６の雄螺子１６ａに当接するようキャップ３を回転させることにより、雌螺子３ａと雄螺子１６ａとが噛み合って、螺子体１６の摺動突起１６ｂが、筒状体１５の摺動孔１５ｄに沿って摺動しつつ螺子体１６の回転を規制しながら、コイルスプリング１２を圧縮して摺動孔１６ｄの後端に当接するまで後方へ移動する。本実施例では、螺子体１６の摺動突起１６ｂが摺動孔１５ｄの後端に当接することで、螺子体１６の雄螺子１６ａとキャップ３の雌螺子３ａとの螺合を完了させ、四角形状である軸筒１４の角部と、同じく四角形状であるキャップ３の角部とが合致して装着を完了し、その状態で図１０に示したクリップ４とペン先８の上面とが一致する構造としてある。
尚、図１５の状態のキャップ３を外せば、コイルスプリング１２の弾発力によって螺子体１６は、図９の状態まで前進して戻る。
【産業上の利用可能性】
【００１９】
本発明による構造は筆記具以外でも、化粧具や塗布具等の構造として用いることが可能である。
【図面の簡単な説明】
【００２０】
【図１】第一の実施例の万年筆の全体斜視図。
【図２】キャップを軸筒から外した状態の断面図。
【図３】図２の要部拡大図。
【図４】図３のＡ−Ａ線断面図。
【図５】図３のＢ−Ｂ線断面図。
【図６】本実施例の一部分解斜視図。
【図７】キャップを軸筒の後方へ装着した状態の要部拡大断面図。
【図８】キャップを軸筒の後方へ装着した状態の斜視図。
【図９】第二の実施例の万年筆の全体斜視図。
【図１０】キャップを軸筒から外した状態の断面図。
【図１１】図１０の要部拡大図。
【図１２】図１０のＣ−Ｃ線断面図。
【図１３】図１１のＤ−Ｄ線断面図。
【図１４】本実施例の万年筆の一部分解斜視図。
【図１５】キャップを軸筒の後方へ装着した状態の要部拡大断面図。
【図１６】キャップを軸筒の後方へ装着した状態の斜視図。
【符号の説明】
【００２１】
１…万年筆、２…軸筒、２ａ…後端開口部、２ｂ…前端開口部、
３…キャップ、３ａ…雌螺子、３ｂ…雌螺子部、３ｃ…係止突起、
４…クリップ、４ａ…基部、４ｂ…貫通孔、４ｃ…係止孔、
５…頭冠、５ａ…雄螺子部、
６…筒状体、６ａ…後端開口部、６ｃ…側壁、
６ｄ…摺動孔、６ｅ…鍔部、
７…螺子体、７ａ…雄螺子、７ｂ…係止部、７ｃ…空間部、
７１…螺子部材、７２…円環部材、７２ａ…円環部、７２ｂ…摺動突起、
８…ペン先、９…首部、９ａ…雄螺子、１０…インクカートリッジ、
１１…可動螺子機構体、１２…コイルスプリング、
１３…万年筆、１４…軸筒、１４ａ…後端開口部、
１５…筒状体、１５ａ…後端開口部、１５ｂ…内向きの鍔部、
１５ｃ…側壁、１５ｄ…摺動孔、
１６…螺子体、１６ａ…雄螺子、１６ｂ…摺動突起、
１６ｃ…段部、１６ｄ…空間部、
１７…可動螺子機構体、
１８…円環部材、１８ａ…鍔部、１８ｂ…円環部。
【図１】
2010052326.tif 000003
【図２】
2010052326.tif 000004
【図３】
2010052326.tif 000005
【図４】
2010052326.tif 000006
【図５】
2010052326.tif 000007
【図６】
2010052326.tif 000008
【図７】
2010052326.tif 000009
【図８】
2010052326.tif 000010
【図９】
2010052326.tif 000011
【図１０】
2010052326.tif 000012
【図１１】
2010052326.tif 000013
【図１２】
2010052326.tif 000014
【図１３】
2010052326.tif 000015
【図１４】
2010052326.tif 000016
【図１５】
2010052326.tif 000017
【図１６】
2010052326.tif 000018